(57)【要約】【課題】  簡単な操作で新しい掲示板を登録し、さらに動画コンテンツの途中のシーンにこの掲示板をリンクさせることができる動画掲示板管理システムを提供する。【解決手段】  クライアント２００の動画制御部２０１はユーザの指示に基づき、新たに掲示板を生成してクライアント２００が再生中の動画コンテンツの途中にこの掲示板をリンクさせる要求を配信サーバ１００へ送信する。配信サーバ１００のデータ管理部１０１はクライアント２００からの要求を受け、動画像メタデータＤＢ１０４に掲示板と動画コンテンツを関連付けるメタデータであるスレッドメタデータを登録し、また、新しい掲示板を掲示板ＤＢ１０５へ登録し、新しい掲示板の生成と、動画コンテンツへの関連付けの完了をクライアント２００へ通知する。クライアント２００の動画制御部２０１は配信サーバからの通知を受信し、ユーザに掲示板の生成と動画コンテンツへのリンクの完了を伝える。【選択図】  図１
2005275711.tif 000002
【特許請求の範囲】
【請求項１】
配信サーバと、１個以上のクライアント端末とがネットワークを経由してデータの送受信を行う動画掲示板管理システムにおいて、
前記配信サーバは、
動画コンテンツを格納するコンテンツデータベースと、
メタデータを格納する動画像メタデータデータベースと、
前記動画像メタデータデータベース中のスレッドメタデータに対応する掲示板の情報を格納する掲示板タイトルテーブル及び掲示板記事テーブルと、
前記コンテンツデータベースから動画コンテンツを読み出し、前記クライアント端末へ送信するコンテンツ配信手段と、
前記動画像メタデータデータベースからメタデータを読み出し、前記クライアント端末へ送信するメタデータ配信手段と、
前記掲示板タイトルテーブルから掲示板の情報を読み出し、前記クライアント端末へ送信する掲示板情報配信手段と、
前記クライアント端末から新しい掲示板の生成と、前記コンテンツデータベース中の動画コンテンツの途中に前記新しい掲示板をリンクさせるメタデータであるスレッドメタデータの登録との要求を受信する受信手段と、
前記新しい掲示板の生成と、前記スレッドメタデータの登録との要求に基づいて、前記新しい掲示板の情報を前記掲示板タイトルテーブルと前記掲示板記事テーブルに登録する掲示板登録手段と、
前記スレッドメタデータを前記動画像メタデータデータベースに登録する動画像メタデータ登録手段とを具備し、
前記クライアント端末は
前記配信サーバから動画コンテンツを受信し、前記動画コンテンツを再生する動画再生部と、
前記配信サーバからメタデータを受信し、前記メタデータを表示するメタデータ表示手段と、
前記配信サーバから掲示板情報を受信し、前記掲示板情報に基づいて掲示板を表示する掲示板表示手段と、
ユーザの指示を受け、新しい掲示板の生成と、前記再生中の動画コンテンツの途中に前記新しい掲示板をリンクさせるスレッドメタデータの登録との要求を送信する要求送信手段とを具備する
ことを特徴とする動画掲示板管理システム。
【請求項２】
前記配信サーバは、
前記スレッドメタデータの前記動画像メタデータデータベースへの登録後に前記スレッドメタデータを前記動画像メタデータデータベースから読み出し、前記クライアント端末へ送信する登録結果返信手段をさらに備え、
前記クライアント端末は、
前記配信サーバからスレッドメタデータを受信するメタデータ受信手段と、
前記スレッドメタデータに基づいてユーザに再生中の動画コンテンツの途中に掲示板がリンクされていることを通知するメタデータリンク表示手段とをさらに備える
ことを特徴とする請求項１に記載の動画掲示板管理システム。
【請求項３】
前記配信サーバは、
前記クライアント端末から動画コンテンツの途中にリンクされた掲示板の一覧情報の要求を受信し、前記掲示板タイトルテーブルと、前記メタデータデータベースと、前記掲示板記事テーブルとから前記動画像コンテンツの途中にリンクされた掲示板の情報を読み出して前記クライアント端末に送信し、
前記クライアント端末は、
ユーザから現在再生中の動画コンテンツの途中にリンクされた掲示板の一覧表示要求を受けた時、前記動画コンテンツの途中にリンクされた掲示板の一覧情報の要求を前記配信サーバに送信し、前記動画コンテンツの途中にリンクされた掲示板の情報を前記配信サーバから受信し、前記動画コンテンツの途中にリンクされた掲示板の一覧を表示する
ことを特徴とする請求項１または請求項２に記載の動画掲示板管理システム。
【請求項４】
配信サーバと、１個以上のクライアント端末とがネットワークを経由してデータの送受信を行う動画掲示板管理システムにおいて、
前記配信サーバのコンピュータに、
動画コンテンツを格納するコンテンツデータベースから動画コンテンツを読み出し、前記クライアント端末へ送信する処理と、
前記クライアント端末から新しい掲示板の生成と、前記コンテンツデータベース中の動画コンテンツの途中に前記新しい掲示板をリンクさせるメタデータであるスレッドメタデータの登録との要求を受信する処理と、
前記新しい掲示板の生成と、前記スレッドメタデータの登録との要求に基づいて、前記動画像メタデータデータベース中のスレッドメタデータに対応する掲示板の情報を格納する掲示板タイトルテーブルと掲示板記事テーブルに、前記新しい掲示板の情報を登録する処理と、
前記スレッドメタデータを、メタデータを格納する動画像メタデータデータベースに登録する処理と
を実行させるためのプログラム。
【請求項５】
配信サーバと、１個以上のクライアント端末とがネットワークを経由してデータの送受信を行う動画掲示板管理システムにおいて、
前記クライアント端末のコンピュータに、
前記配信サーバから動画コンテンツを受信し、前記動画コンテンツを再生する処理と、
ユーザの指示を受け、新しい掲示板の生成と、前記再生中の動画コンテンツの途中に前記新しい掲示板をリンクさせるスレッドメタデータの登録との要求を送信する処理と
を実行させるためのプログラム。
【発明の詳細な説明】
【技術分野】
【０００１】
本発明は、ネットワーク上で動画コンテンツ中に貼付されたスレッドメタデータのリンク先である掲示板を管理するための掲示板管理システムに関するものである。
【背景技術】
【０００２】
図１３はインターネット上の動画コンテンツを掲載する動画掲示板の例を表している。図１３の動画掲示板は、一般のインターネットユーザが書き込んだ記事を掲載し、また、動画コンテンツの提供者がアップロードした動画コンテンツを提供している。動画掲示板のユーザはこのように動画コンテンツを提供し合い、あるいはコメントや意見を記事として動画掲示板へ書き込んで情報交換や意見交換などを行う。
【０００３】
しかし、動画コンテンツには長いものでは数時間におよぶものもある。このため、動画コンテンツの提供者や動画掲示板のユーザが動画コンテンツの途中のシーンに関して細かなコメントや意見を当該動画掲示板に書き込むと、他のユーザにとってはこのコメントや意見が動画コンテンツ上のどのシーンに対するものであるのか、認識しにくい問題点があった。
【０００４】
従来の技術では、この問題点の解決方法として、動画コンテンツに対する付加情報などを格納するためのデータであるメタデータを利用していた。この方法では例えば、動画コンテンツの提供者が動画コンテンツのアップロード前に当該動画コンテンツの途中のシーンに対してコメントや意見を書き込みたい場合、まず、アップロード先のコンピュータ上に新しい掲示板を登録する。次に、動画コンテンツの提供者は当該動画コンテンツ中のコメントや意見を書き込みたいシーンにメタデータを貼り付ける。図２はこのメタデータの貼り付けの例を表している。動画コンテンツの提供者はこのメタデータに図２に表される様にリンク付きメモを作成し、先ほど作成した新しい掲示板のＵＲＬ（Ｕｎｉｖｅｒｓａｌ  Ｒｅｓｏｕｒｃｅ  Ｌｏｃａｔｏｒ）アドレスをこのメタデータ中に手入力で書き込む。この方法によって、動画コンテンツの提供者は動画コンテンツ中のコメントや意見を書き込みたいシーンに掲示板をリンクさせ、自身のコメントや意見をこの掲示板に書き込むことができる。また、この方法では他のユーザもこの新しい掲示板に意見やコメントを書き込むことができるため、有効である。
【０００５】
しかし、上述の解決方法では多くの部分が手作業となるために煩雑である。即ち、従来の技術では動画掲示板にアップロードされた動画コンテンツの途中のシーンに、新しい掲示板を登録してリンクさせる操作が煩雑である問題点があった。
【０００６】
なお、従来の技術として、非特許文献１〜４に記載されるものが知られている。非特許文献１は、プレインな動画コンテンツ上に、メモ、静止画、テストといったメタデータを貼付することができる動画コンテンツ編集装置に関するものである。
また、非特許文献２と、非特許文献４は、プレインな動画コンテンツ上に、一時停止や、繰り返し再生、あるいはスキップといった動画制御データであるメタデータを貼付することができる動画コンテンツ編集装置に関するものである。
また、非特許文献３は、編集が完了した動画コンテンツを、ユーザが視聴、編集するための動画コンテンツ配信システムに関するものである。
しかし、これらの技術は上述の簡単な操作で動画掲示板にアップロードされた動画コンテンツの途中のシーンに、新しい掲示板をリンクさせることができない問題点を解決するものではない。
【非特許文献１】山田政寛、渡邉岳彦、伊藤智子、依田育生  「動画教育システムにおける学習補助データ処理方式の検討」  電子情報通信学会ソサイエティ大会  ２００１年
【非特許文献２】西尾浩一、阿部尚生、神谷造、依田育生  「動画メタデータのアクセスコントロールの実装」情報処理学会  第６３回全国大会講演論文集（４）  ２００１年  P235-P236
【非特許文献３】西尾浩一、村岡政海、渡邉岳彦、依田育生「動画教育システムにおけるテスト方式の提案」   電子情報通信学会
【非特許文献４】西尾浩一、大堀順也、渡邉岳彦、湊賢治「動画教育システムにおけるコンテンツ制御系学習補助データの処理方式の検討」  ＦＩＴ２００２第１回情報科学技術フォーラム  情報処理学会  ２００２年９月
【発明の開示】
【発明が解決しようとする課題】
【０００７】
本発明は上記の事情を考慮してなされたもので、その目的は、簡単な操作で新しい掲示板を登録し、さらに動画コンテンツの途中のシーンにこの掲示板をリンクさせることができる動画掲示板管理システムを提供することにある。
【課題を解決するための手段】
【０００８】
この発明は前述の課題を解決するためになされたもので、請求項１の発明は、配信サーバと、１個以上のクライアント端末とがネットワークを経由してデータの送受信を行う動画掲示板管理システムにおいて、前記配信サーバは、動画コンテンツを格納するコンテンツデータベースと、メタデータを格納する動画像メタデータデータベースと、前記動画像メタデータデータベース中のスレッドメタデータに対応する掲示板の情報を格納する掲示板タイトルテーブル及び掲示板記事テーブルと、前記コンテンツデータベースから動画コンテンツを読み出し、前記クライアント端末へ送信するコンテンツ配信手段と、前記動画像メタデータデータベースからメタデータを読み出し、前記クライアント端末へ送信するメタデータ配信手段と、前記掲示板タイトルテーブル及び前記掲示板記事テーブルから掲示板の情報を読み出し、前記クライアント端末へ送信する掲示板情報配信手段と、前記クライアント端末から新しい掲示板の生成と、前記コンテンツデータベース中の動画コンテンツの途中に前記新しい掲示板をリンクさせるメタデータであるスレッドメタデータの登録との要求を受信する受信手段と、前記新しい掲示板の生成と、前記スレッドメタデータの登録との要求に基づいて、前記新しい掲示板の情報を前記掲示板タイトルテーブルと前記掲示板記事テーブルに登録する掲示板登録手段と、前記スレッドメタデータを前記動画像メタデータデータベースに登録する動画像メタデータ登録手段とを具備し、前記クライアント端末は前記配信サーバから動画コンテンツを受信し、前記動画コンテンツを再生する動画再生部と、前記配信サーバからメタデータを受信し、前記メタデータを表示するメタデータ表示手段と、前記配信サーバから掲示板情報を受信し、前記掲示板情報に基づいて掲示板を表示する掲示板表示手段と、ユーザの指示を受け、新しい掲示板の生成と、前記再生中の動画コンテンツの途中に前記新しい掲示板をリンクさせるスレッドメタデータの登録との要求を送信する要求送信手段とを具備することを特徴とする動画掲示板管理システムである。
【０００９】
請求項２の発明は、請求項１に記載の動画掲示板管理システムであって、前記配信サーバは、前記スレッドメタデータの前記動画像メタデータデータベースへの登録後に前記スレッドメタデータを前記動画像メタデータデータベースから読み出し、前記クライアント端末へ送信する登録結果返信機能をさらに備え、前記クライアント端末は、前記配信サーバからスレッドメタデータを受信するメタデータ受信手段と、前記スレッドメタデータに基づいてユーザに再生中の動画コンテンツの途中に掲示板がリンクされていることを通知するメタデータリンク表示手段とをさらに備えることを特徴とするものである。
【００１０】
請求項３の発明は、請求項１または請求項２に記載の動画掲示板管理システムであって、前記配信サーバは、前記クライアント端末から動画コンテンツの途中にリンクされた掲示板の一覧情報の要求を受信し、前記掲示板タイトルテーブルと、前記メタデータデータベースと、前記掲示板記事テーブルとから前記動画像コンテンツの途中にリンクされた掲示板の情報を読み出して前記クライアント端末に送信し、前記クライアント端末は、ユーザから現在再生中の動画コンテンツの途中にリンクされた掲示板の一覧表示要求を受けた時、前記動画コンテンツの途中にリンクされた掲示板の一覧情報の要求を前記配信サーバに送信し、前記動画コンテンツの途中にリンクされた掲示板の情報を前記配信サーバから受信し、前記動画コンテンツの途中にリンクされた掲示板の一覧を表示することを特徴とするものである。
【００１１】
請求項４の発明は、配信サーバと、１個以上のクライアント端末とがネットワークを経由してデータの送受信を行うシステムにおいて、前記配信サーバのコンピュータに、動画コンテンツを格納するコンテンツデータベースから動画コンテンツを読み出し、前記クライアント端末へ送信する処理と、前記クライアント端末から新しい掲示板の生成と、前記コンテンツデータベース中の動画コンテンツの途中に前記新しい掲示板をリンクさせるメタデータであるスレッドメタデータの登録との要求を受信する処理と、前記新しい掲示板の生成と、前記スレッドメタデータの登録との要求に基づいて、前記動画像メタデータデータベース中のスレッドメタデータに対応する掲示板の情報を格納する掲示板タイトルテーブルと掲示板記事テーブルに、前記新しい掲示板の情報を登録する処理と、前記スレッドメタデータを、メタデータを格納する動画像メタデータデータベースに登録する処理とを実行させるためのプログラムである。
【００１２】
請求項５の発明は、配信サーバと、１個以上のクライアント端末とがネットワークを経由してデータの送受信を行うシステムにおいて、前記クライアント端末のコンピュータに、前記配信サーバから動画コンテンツを受信し、前記動画コンテンツを再生する処理と、ユーザの指示を受け、新しい掲示板の生成と、前記再生中の動画コンテンツの途中に前記新しい掲示板をリンクさせるスレッドメタデータの登録との要求を送信する処理とを実行させるためのプログラムである。
【発明の効果】
【００１３】
請求項１または、請求項４と請求項５の発明によれば、ユーザはスレッドメタデータを動画コンテンツの途中に貼り付けるだけの簡単な操作によって新しい掲示板を登録し、さらに、動画コンテンツの途中のシーンにこの掲示板をリンクさせることができる効果がある。
【００１４】
請求項２の発明によれば、動画コンテンツの途中のシーンへの新しい掲示板のリンク完了をユーザがすぐに認識できる効果がある。
【００１５】
請求項３の発明によれば、ユーザは動画コンテンツの途中にリンクされた掲示板の記事内容をすぐに確認できる効果がある。
【発明を実施するための最良の形態】
【００１６】
本実施の形態の説明においては、例として一般のインターネットユーザが動画掲示板システムを利用する場合を想定する。図１は本実施の形態における動画掲示板管理システムの構成を表すブロック図である。
配信サーバ１００はインターネットを介してクライアント２００などから要求を受け、動画掲示板や動画コンテンツ、あるいはメタデータの配信を行うコンピュータである。クライアント２００はユーザが動画コンテンツやメタデータの再生のために使用するパソコンである。
配信サーバ１００のデータ管理部１０１は配信サーバ１００の制御機能であり、詳細は後述する。
Ｗｅｂ／ストリーミングサーバ１０２はデータ管理部１０１へ動画コンテンツを問い合わせ、データ管理部１０１からの応答に基づいてクライアント２００へ動画コンテンツの送信を行う。
【００１７】
コンテンツＤＢ（Ｄａｔａ  Ｂａｓｅ）１０３は図３に示されるコンテンツテーブルの形式のデータベースであり、動画コンテンツの識別情報であるコンテンツＩＤ（ＩＤｅｎｔｉｆｉｅｒ）と、動画コンテンツの提供者の識別情報であるオーナーＩＤと、動画コンテンツの実体であるデータ実体とを格納する。
【００１８】
動画像メタデータＤＢ１０４は図４のメタデータテーブルの形式のデータベースであり、メタデータの識別情報であるメタデータＩＤと、メタデータの貼り付け先である動画コンテンツのコンテンツＩＤと、掲示板の識別情報であるスレッドタイトルＩＤと、メタデータの種別であるメタデータタイプと、メタデータが貼り付けられた動画コンテンツ上において動画コンテンツの先頭から当該メタデータが表示されるまでの時間の長さである開始時刻と、メタデータが貼り付けられた動画コンテンツ上において動画コンテンツの先頭から当該メタデータの表示が終了するまでの時間の長さである終了時刻と、メタデータ貼り付けの際にユーザが入力するテキストデータであるテキストと、メタデータが他のサイトなどのアドレスの情報を含む場合のこのアドレスの情報であるリンク情報とからなる。
ここで、メタデータには種類があり、掲示板と、動画コンテンツの途中のシーンとをリンクさせるメタデータをスレッドメタデータという。そこで、このメタデータテーブルにおいて、スレッドメタデータのメタデータタイプは“ｔｈｒｅａｄ”であり、また、リンク情報はスレッドメタデータが対応する掲示板のインターネット経由でのアクセスのためのＵＲＬアドレスである。
また、データ管理部１０１は外部からの要求に応じて動画像メタデータＤＢ１０４からメタデータを読み出し、送信する。
【００１９】
その他テーブル１０６には図３のカテゴリテーブルと、配信サーバ１００にアクセスするユーザを管理するためのユーザテーブルとからなる。
図３のユーザテーブルは、ユーザＩＤと、ユーザのニックネームと、ユーザの配信サーバ１００へのログインのためのログインＩＤ（ログイン名）とからなる。
図３のカテゴリテーブルは、コンテンツや掲示板のジャンルを表すカテゴリと、カテゴリの識別情報であるカテゴリＩＤとからなる。
【００２０】
掲示板ＤＢ１０５は図４の掲示板タイトルテーブルと、掲示板記事テーブルとを含むデータベースである。掲示板タイトルテーブルはスレッドタイトルＩＤと、掲示板の属するカテゴリを表すカテゴリＩＤと、掲示板に登録された記事の数を表すメッセージ数と、掲示板を登録したユーザを表すユーザＩＤと、掲示板のタイトルと、掲示板に最初に登録された記事とからなる。カテゴリは図３のカテゴリテーブルに示されるように、掲示板がどのようなジャンルの記事をターゲットにするのかを表すものである。図４の掲示板記事テーブルは、掲示板の個々の記事に対応する記事ＩＤと、どの掲示板に掲載された記事であるのかを表すスレッドタイトルＩＤと、記事の親子関係（返信された記事の元（親）の記事を既定）を表す親記事ＩＤと、記事を登録したユーザの識別情報であるユーザＩＤと、記事のタイトルと、記事の内容とからなる。
また、データ管理部１０１は外部からの要求に応じて掲示板ＤＢ１０５からデータを読み出し、送信する。
また、図１４はこれらのデータの関連を表している。図１４に示すように、本実施の形態ではメタデータを介して掲示板と動画コンテンツとがリンクされている。
【００２１】
クライアント２００の動画制御部２０１はクライアント２００の制御機能であり、詳細は後述する。
ブラウザ２１０は動画コンテンツを入力して再生し、また、メタデータを入力して表示し、あるいはＨＴＭＬデータ、あるいはＸＭＬデータを入力して表示するブラウザである。動画再生部２１１は動画制御部２０１の動画再生機能であり、メタデータの表示も行う。
【００２２】
ＨＴＭＬ表示部２１２はＨＴＭＬデータ、あるいはＸＭＬデータを入力して表示する。
ＨＴＭＬ制御部２０２は入力検出部２０３を経由してユーザの入力を受け、あるいはブラウザ経由で配信サーバから取得したＨＴＭＬ形式やＸＭＬ形式のデータを動画制御部２０１と連携して、ブラウザ２１０で表示できる形に整形して出力する。このＨＴＭＬデータ、あるいはＸＭＬデータには、掲示板を表示するためのデータも含まれる。
入力装置２０４はキーボードである。入力検出部２０３は外部デバイスの管理機能であり、ユーザの入力装置２０４への指示を検知して動画制御部２０１、あるいはＨＴＭＬ制御部２０２にユーザの指示を出力する。
【００２３】
次に、本実施の形態における動画掲示板管理システムの処理の流れを、図を参照しながら説明する。以降では、インターネットのユーザが配信サーバ１００の提供する動画コンテンツを視聴しながら当該動画コンテンツの途中に新しい掲示板をリンクさせる処理に関して説明する。
【００２４】
図５、図６、および図７はスレッドメタデータの新規登録処理の流れを表している。また、図８はインターネットのユーザがパソコン上で配信サーバ１００の提供する動画コンテンツを視聴するためのブラウザ２１０が表示する画面の例である。いま、ユーザはクライアント２００を使用してインターネット上の動画コンテンツライブラリ（例えば動画掲示板）にアクセスし、配信サーバ１００のＷｅｂ／ストリーミングサーバ１０２が配信する動画コンテンツを視聴している。このとき、クライアント２００の記憶領域には、ユーザ自身のユーザＩＤと、ユーザが視聴中の動画コンテンツのコンテンツＩＤと、ユーザがアクセスした動画コンテンツライブラリ（例として動画掲示板）のカテゴリＩＤとが格納されている。
【００２５】
ユーザは動画コンテンツの視聴途中で、自身の意見をこの動画コンテンツの１シーンに書き込むために当該シーンに新しい掲示板をリンクさせることを思い立ち、動画コンテンツを再生している画面上を指定し、新しい掲示板の生成と、当該シーンへのリンクをクライアント２００に指示する。
【００２６】
クライアント２００の動画制御部２０１は入力装置２０４と、入力検出部２０３とを経由してユーザの指示を受け、ユーザの指定した画面上の座標と、現在再生中の動画コンテンツの先頭からの経過時間とを得る。そして、動画制御部２０１は新しい掲示板の登録のために必要となるこの他の情報を得るために、図９が表す画面をクライアント２００の表示部に表示し、このシーンにリンクさせる新しい掲示板のタイトルと、ユーザのコメントである記事と、新しい掲示板に対応させるアイコンと、新しい掲示板の表示時間の長さの入力をユーザに要求する。
ユーザはクライアント２００の表示部を確認し、新しい掲示板のタイトルと、自身のコメントと、新しい掲示板の表示時間の長さとを入力装置２０４に入力する。このとき、ユーザはアイコンについてはデフォルト（標準設定）のままで良いと判断して特に指定しない。
【００２７】
クライアント２００の動画制御部２０１はユーザの入力を入力検出部２０３を経由して受け、新しい掲示板の登録要求、即ちスレッドメタデータの貼り付け要求であることを表す“スレッドメタデータ”と、 新規登録”と、新しい掲示板の表示座標としてユーザの指定した画面上の座標と、新しい掲示板の表示時間として先ほど取得した現在再生中の動画コンテンツの先頭からの経過時間と、ユーザの指定したタイトルと、ユーザの指定したタイトル記事と、ユーザが指定した新しい掲示板の表示時間の長さとに基づいてＨＴＭＬ制御部２０２にＸＭＬ（ｅＸｔｅｎｓｉｂｌｅ  Ｍａｒｋｕｐ  Ｌａｎｇｕａｇｅ）形式のフォームデータを生成させ（図６のステップＴ０１）、そして、ユーザに対してフォームデータを送信してよいか否かの確認要求をクライアント２００の表示部に表示する。
【００２８】
ユーザはこの確認の要求を受けて"ＯＫ"を入力装置２０４に入力する。クライアント２００の動画制御部２０１はユーザからの"ＯＫ"を入力検出部２０３を経由して受け、記憶領域からユーザのユーザＩＤと、ユーザがアクセスした動画コンテンツライブラリ（例として動画掲示板）のカテゴリＩＤと、再生中の動画コンテンツのコンテンツＩＤとを読み出し、先ほど生成したフォームデータに追加してブラウザ２１０を経由して配信サーバ１００へ送信する（図５のステップＳ０１、図６のステップＴ０２）。
【００２９】
配信サーバ１００のデータ管理部１０１は、ネットワークを経由してクライアント２００からフォームデータを受信し（図５のステップＳ０２）、このフォームデータの記述形式が正しいことを確認し（図５のステップＳ０３、図７のステップＵ０１）、また、フォームデータ中の“新規登録”を参照してフォームデータがデータの新規登録を要求するものであると判断する（図７のステップＵ０２が“新規である”）。次に、データ管理部１０１はフォームデータ中の“スレッドメタデータ”を確認し、この要求がスレッドメタデータの新規登録要求、即ち掲示板の新規登録要求であると判断する（図７のステップＵ０３が“スレッドである”）。
【００３０】
次に、データ管理部１０１は新しい掲示板を登録するために掲示板ＤＢ１０５にアクセスして掲示板タイトルテーブルに新しいデータを追加するために、新しくユニークなスレッドタイトルＩＤを生成し、このスレッドタイトルＩＤと共に、受信したフォームデータに含まれるカテゴリＩＤと、受信したフォームデータ中の記事の数であるメッセージ数（新規登録の場合はメッセージ数は常に１）と、受信したフォームデータに含まれるユーザＩＤと、受信したフォームデータに含まれるタイトルと、受信したフォームデータに含まれる記事とを書き込む。
【００３１】
また、データ管理部１０１は先ほどユーザが指定した記事を掲示板ＤＢ１０５中の掲示板記事テーブルへ登録する。このために、データ管理部１０１は掲示板記事テーブルにデータを追加し、受信したフォームデータ中の記事に対して記事ＩＤを生成し、掲示板記事テーブルの追加したデータの記事ＩＤに対して生成した記事ＩＤをセットし、掲示板記事テーブルの追加したデータのスレッドタイトルＩＤに先ほど生成したスレッドタイトルＩＤをセットし、掲示板記事テーブルの追加したデータの親記事ＩＤに先ほど生成した記事ＩＤをセットし、掲示板記事テーブルの追加したデータのユーザＩＤに受信したフォームデータ中のユーザＩＤをセットし、掲示板記事テーブルの追加したデータのタイトルに受信したフォームデータ中のタイトルをセットし、掲示板記事テーブルの追加したデータの記事に受信したフォームデータ中の記事をセットする。ここで、データ管理部１０１は親記事ＩＤについては、現在の処理が掲示板の新規登録であることから掲示板記事テーブルに書き込まれた記事自身の記事ＩＤとなる。さらに、データ管理部１０１は新しい掲示板のために、インターネット経由でパソコンなどが新しい掲示板にアクセスする際に使用するＵＲＬアドレスを生成する。
ここまでの処理より、配信サーバ１００に新しい掲示板が登録された（図５のステップＳ０４、図７のステップＵ０４）。
【００３２】
次に、データ管理部１０１は新しい掲示板の登録に伴い、動画像メタデータＤＢにアクセスして新しい掲示板に対応するスレッドメタデータの登録を行う。このために、データ管理部１０１は動画像メタデータＤＢのメタデータテーブルに、新しくユニークなメタデータＩＤを生成してデータを追加する。そして、データ管理部１０１はメタデータテーブルに追加したデータのコンテンツＩＤに受信したフォームデータ中のコンテンツＩＤをセットし、メタデータテーブルに追加したデータのスレッドタイトルＩＤに先ほど生成したスレッドタイトルＩＤを設定し、メタデータテーブルに追加したデータのメタデータタイプにこのメタデータがスレッドメタデータであることから"ｔｈｒｅａｄ"を設定し、メタデータテーブルに追加したデータの開始時刻に受信したフォームデータ中の表示時間をセットし、メタデータテーブルに追加したデータの終了時刻に受信したフォームデータ中の表示時間に受信したフォームデータ中の新しい掲示板の表示時間の長さを加えてセットし、メタデータテーブルに追加したデータのテキストに受信したフォームデータ中のタイトルをセットし、メタデータテーブルに追加したデータのリンク情報に先ほど生成した新しい掲示板のＵＲＬアドレスをセットする。
ここまでの処理により、新しい掲示板に対応するスレッドメタデータの登録は完了した（図５のステップＳ０５、図７のステップＵ０５）。
【００３３】
次に、データ管理部１０１は新しい掲示板の登録完了をクライアント２００へ通知する。このためにデータ管理部１０１は動画像メタデータＤＢ１０４のメタデータテーブルに追加したデータを読み出し、クライアント２００へこれを送信して登録完了を通知する（図５のステップＳ０６、図７のステップＵ０６）。
【００３４】
クライアント２００の動画制御部２０１はインターネットを経由して配信サーバ１００からデータを受信する（図５のステップＳ０７）。また、クライアント２００の動画制御部２０１は受信したデータを記憶領域に格納し、さらに受信したデータ中の新しい掲示板のＵＲＬアドレスと、新しい掲示板のタイトルとをＨＴＭＬ制御部２０２へ出力する。
ＨＴＭＬ制御部２０２は動画制御部２０１からデータを入力し、図１０に表されるように当該動画コンテンツにスレッドメタデータが貼り付けられていることを表すウインドウを生成し、さらに、ウインドウ中の新しい掲示板のタイトルに新しい掲示板のＵＲＬアドレスをリンクとして貼り付けてＨＴＭＬ形式のデータを生成し、ＨＴＭＬ表示部２１２に出力して表示させる（図５のステップＳ０８、図６のステップＴ０３）。
【００３５】
ユーザは動画コンテンツ中に掲示板がリンクされたことを確認する。
さらに、ユーザがこのウインドウ中の新しい掲示板のタイトルを指定（例えばクリック）して掲示板の表示を指示する。動画制御部２０１は入力装置２０４と、入力検出部２０３とを経由してユーザの要求を受け、記憶領域から先ほど受信したデータ中のスレッドタイトルＩＤを読み出し、このスレッドタイトルＩＤをブラウザ２１０を経由して配信サーバ１００に送信し、掲示板のデータを要求する。
【００３６】
配信サーバ１００のデータ管理部１０１はクライアント２００からスレッドタイトルＩＤを受信し、掲示板ＤＢ１０５の掲示板タイトルテーブルと、掲示板記事テーブルとから受信したスレッドタイトルＩＤに対応するデータを読み出してクライアント２００へ送信する。クライアント２００の動画制御部２０１はインターネットを経由して配信サーバ１００からデータを受信し、ＨＴＭＬ制御部２０２へ受信したデータを出力して掲示板を生成させ、図１１に表されるように掲示板をブラウザ２１０に表示させる（図５のステップＳ０９）。
【００３７】
新規登録処理はここまでで完了である。ここで、図７のステップＵ０７はスレッドメタデータ以外のメタデータの登録処理である。また、図７のステップＵ０８はメタデータの更新や削除の処理である。
【００３８】
以上、図面を参照して本発明の実施形態について詳述してきたが、具体的な構成はこれらの実施の形態に限られるものではなく、この発明の要旨を逸脱しない範囲の設計変更等も含まれる。
例えば、本実施の形態の説明において、新しい掲示板の表示時間の長さをユーザ自身がクライアント２００に入力したが、配信サーバ１００は新しい掲示板の表示時間の長さを新しい掲示板のリンクさせるシーンの長さとしてメタデータテーブルの終了時間を設定しても良い。
【００３９】
また、配信サーバ１００のデータ管理部１０１は、クライアント２００の要求に応じて動画コンテンツにリンクされた掲示板の一覧を図１２のように表示しても良い。クライアント２００が動画コンテンツを再生している場合等に、コンテンツＩＤを配信サーバ１００へ送信し、データ管理部１０１はこれを受信してメタデータテーブルからコンテンツＩＤに該当するメタデータのうち、“ｔｈｒｅａｄ”であるもののスレッドタイトルＩＤを動画像メタデータＤＢ１０４から読み出し、読み出したスレッドタイトルＩＤに該当するデータを掲示板ＤＢ中の掲示板タイトルテーブルから読み出し、これをクライアント２００へ送信することにより、実施が可能である。ユーザは動画コンテンツに貼り付けられた掲示板の一覧を確認し、自身に興味関心のあるものを確認できるので、有効である。
【００４０】
また、クライアント２００において動画コンテンツへの新たな掲示板のリンクの要求の際にＨＴＭＬ制御部２０２が生成するＸＭＬ形式のデータは図１５に表される形式であっても良い。
【図面の簡単な説明】
【００４１】
【図１】本発明の実施の形態における動画掲示板管理システムのブロック図である。
【図２】従来の技術におけるメタデータの動画コンテンツへの貼り付けを表す図である。
【図３】本発明の実施の形態における動画掲示板管理システムのデータ構成を表す図である。
【図４】本発明の実施の形態における動画掲示板管理システムのデータ構成を表す図である。
【図５】本発明の実施の形態における動画掲示板管理システムの処理の流れを表すフローチャートである。
【図６】本発明の実施の形態における動画掲示板管理システムの処理の流れを表すフローチャートである。
【図７】本発明の実施の形態における動画掲示板管理システムの処理の流れを表すフローチャートである。
【図８】本発明の実施の形態におけるクライアント２００の表示を表す図である。
【図９】本発明の実施の形態におけるクライアント２００の表示を表す図である。
【図１０】本発明の実施の形態におけるクライアント２００の表示を表す図である。
【図１１】本発明の実施の形態における掲示板の表示画面を表す図である。
【図１２】本発明の実施の形態におけるクライアント２００の表示を表す図である。
【図１３】従来の技術における動画掲示板の画面表示を表す図である。
【図１４】本発明の実施の形態における動画掲示板管理システムのデータ関連を表す図である。
【図１５】本発明の実施の形態におけるＨＴＭＬ制御部２０２の生成する動画コンテンツへの新たなスレッドメタデータ登録の要求を表すＸＭＬ形式のデータの例である。
【符号の説明】
【００４２】
１００…配信サーバ
１０１…データ管理部
１０２…Ｗｅｂ／ストリーミングサーバ
１０３…コンテンツＤＢ
１０４…動画像メタデータＤＢ
１０５…掲示板ＤＢ
１０６…その他テーブル
２００…クライアント
２０１…動画制御部
２０２…ＨＴＭＬ制御部
２０３…入力検出部
２０４…入力装置
２１０…ブラウザ
２１１…動画再生部
２１２…ＨＴＭＬ表示部
【図１】
2005275711.tif 000003
【図２】
2005275711.tif 000004
【図３】
2005275711.tif 000005
【図４】
2005275711.tif 000006
【図５】
2005275711.tif 000007
【図６】
2005275711.tif 000008
【図７】
2005275711.tif 000009
【図８】
2005275711.tif 000010
【図９】
2005275711.tif 000011
【図１０】
2005275711.tif 000012
【図１１】
2005275711.tif 000013
【図１２】
2005275711.tif 000014
【図１３】
2005275711.tif 000015
【図１４】
2005275711.tif 000016
【図１５】
2005275711.tif 000017